(57)【特許請求の範囲】
【請求項１】
娯楽装置であって、
ストーリーラインを演ずる少なくとも１つのキャラクタを表示するテレビジョン受像機を含むテレビジョンシステムと、
複数個の選択コールを受信する複数個の受信機へのアドレスを付されたメッセージを送出する無線装置で、このメッセージは会話内容を含んでいる無線装置と、
内部に前記選択コールの１つを受信する受信機を含んでいて、前記キャラクタの外観を具えた人形と、
この人形が外部よりの指令に応答して、会話内容を発生させる人形内の駆動手段と、
前記人形内に設けられ、人形内の前記選択コール受信機が受信した特定の会話内容を含むメッセージを記憶する手段で、前記駆動手段に応答して前記特定の会話内容の少なくとも１部を発する如くした記憶手段とを有しており、
所定のプログラムに応じて、前記人形が当該人形に宛てたアドレス付の外部よりの指令に応じ、テレビジョン受像機内のキャラクタの前記ストーリーラインに沿った動作を行う如くプログラムされていることを特徴とする娯楽装置。
【請求項２】
あるストーリーの流れに応じて動作する少なくとも１つのキャラクタを表示する第１の娯楽手段と、
複数個の選択コール受信機に対し、それぞれ個別にアドレスされたメッセージを送信する手段であって、このメッセージは会話内容を含んでいる手段と、
前記キャラクタの姿をした娯楽手段で、その内部に前記アドレス付選択コールに対する受信機の１つを含んでなる第２の娯楽手段と、
この第２の娯楽手段内に設けられて居り、第２の娯楽手段をして前記の外部よりのメッセージの刺激に応じて会話内容を発声させる駆動装置と、
第２の娯楽手段内で、前記アドレス付選択コール受信機によって受信された特定の会話内容を含むメッセージを記憶する記憶手段とを有してなり、
これによって第２の娯楽手段は、外部よりの刺激に応じて、第１の娯楽手段の前記キャラクタにより演じられるストーリーに適応した動作を行う如くしたことを特徴とする娯楽装置。
【請求項３】
複数個の娯楽手段を協働させるシステムであって、
あるストーリーに沿ってパフォーマンスを行う少なくとも１つのキャラクタを表示する第１の娯楽手段と、
前記キャラクタの外見を有する第１手段を含み、更に多数の選択コール受信機にアドレス付のメッセージを送信する無線手段とを有し、このメッセージは会話内容とプログラムされた命令とを含んでいる第２の娯楽手段とを有し、
前記第１の娯楽手段は、前記選択コール受信機の１つを内蔵しており、
第１の娯楽手段内の駆動手段は、第１の娯楽手段として外部の刺激に応じて会話内容を発声し、かつ前記プログラムされた命令に応じて動作を行わしめ、
第１の娯楽手段内のメッセージの記憶手段は、同じ第１の娯楽手段内の選択コール受信機を通じて受信される特定の会話内容とプログラムされた命令を記憶し、ここで前記駆動手段の応答は前記特定の会話内容の少なくとも一部を含むものであり、これにより、
第１の娯楽手段は、外部よりの刺激に応答してその内のキャラクタによりストーリーラインに適した動作を行わしめる娯楽手段駆動システム。
【発明の詳細な説明】
〔発明の背景〕
本発明は、一般的には娯楽装置に関するものであり、特別には電子娯楽装置の制御及びプログラムに関する。
電子技術を用いる娯楽装置は著しく進歩している。多くの装置がユーザー用の優れた制御方法及び機能表現を具えている。しかしながら、そのような優れた動作を支えるためにはユーザーインタフェースが必要になる。ユーザーインタフェースは、典型的には、装置の動作を変えて意のままにするための少なくとも一組の例えばボタン、ユーザー用操作装置のような入力装置を必要とする。これにより、ユーザーは、物理的にユーザーインタフェース機構を操作し、装置の動作を意のままに変える。典型的なユーザーインタフェース機構の製造コストは、特に低価格の製造ラインにおいては、製造コスト全体のかなりの部分を占めている。例えばマイクロプロセッサのような優れた制御回路が与えられると、ユーザーインタフェースは比較的少ないボタンで実現されるが、ユーザーによる複雑な操作が必要である。入力ボタンの数及び構成に依り、装置の使用がしばしば面倒になり、従って多くの場合、所有者によって完全に使用されずまた楽しまれないことがある。キーボード及びディスプレイスクリーンのように、使用するためにより優れ且つ複雑でないユーザーインタフェース機構についてはかなりの製造経費が加算される。
多くの娯楽装置用として、特に比較的低価格の顧客向け製品用としては、精巧なユーザーインタフェース装置は実用化されていない。製造業者は、低いコストで適切なユーザーインタフェース手段を提供することに努力目標を見出している。ユーザーが複雑な配列のボタンを操作する必要がある場合、又は複雑な指示のセットに従って少数のボタンを操作する必要がある場合は、どのような場合においても、通常は、その装置を毎日使用する際にこれらの機能を使わないことになる。ユーザーインタフェースが難しいために、多くの人々が娯楽装置リソース即ちユーザーインタフェースにより独自に作られたプログラムの完全な利用に簡単に失敗する。
このように、低価格電子装置において、ユーザーインタフェースは全体の製造コストのかなりの部分を占める。電子制御回路は、著しく複雑な機能を持つにも拘わらず、優れた電子回路設計、プログラミング技術及び集積回路製造方法によって全体の製造コストに比較して低価格にすることができる。製造業者は、比較的小さい追加の出費で教育娯楽装置に複雑な制御回路を付け加えることができるが、このような制御回路を便利に使おうとするとユーザーインタフェースのコストがかなり加算される。このような観点から、ユーザーインタフェースリソースのコストが製品の設計及び操作を制限する。このように、ユーザーインタフェースは、製造業者に対し、電子教育娯楽装置の優れた制御機能に近づくことを望む努力目標として残されている。
娯楽装置はユーザーに限られた時間のみしか楽しみを与えないことが多い。例えば、娯楽装置がユーザーにとって最初は魅惑的であると思われるように作られた一組の特性、属性又は機能を持つように製造されていても、装置を完全に知り尽くした後には使用しても殆ど興奮を覚えず、結局は退屈することが分かることがある。優れたユーザープログラム又は装置の変更をサポートする精巧なユーザーインタフェースリソースを持つ場合は、電子娯楽装置が興味を持続させるが、このような装置は直ちに高価なものになってしまう。従って、娯楽装置が、製造費は著しく高くなることなしに、強力な且つ変更可能な特性、属性、及び機能を具えることが望ましい。
ユーザーによって物理的に操作されるユーザーインタフェース機構は結局は使い古されるものであり、従って使用することによって品質の低下及び機能の低下を来す。ユーザーインタフェース機構が古くならずより高い性能上の信頼性を持つためには、製造コストがそれだけ上昇する。そのため、古くならないようなユーザーインタフェースであって、しかも比較的低価格で製造できる望ましい特性を有するユーザーインタフェースを具えることが望ましい。
本発明の目的は、電子娯楽装置の製造におけるこれらの問題を捉えてこれを解決することにある。
本発明の好ましい形は、複数のアドレス可能の娯楽装置を含む娯楽システムを提供するものである。各娯楽装置のデータ端末装置が、無線信号によって供給され、自身にアドレスされた制御メッセージを集める。無線信号により制御メッセージを供給する送信機が、選択されるデータ端末装置に関連するアドレスを与える。各娯楽装置のデータ端末装置に対応する制御装置は、集められた制御メッセージに応答してデータ端末装置を含む娯楽装置の動作を確立する。このように、本発明は遠隔制御によって操作され、ダイナミックな且つ動作を継続する装置構成を有する。
本発明の一つの観点は、アドレスされる制御メッセージを無線信号で供給し、自身がアドレスされた時に娯楽装置が制御メッセージを受信することによって、与えられたストーリーラインを表現する方法である。娯楽装置は、受信した制御メッセージに応答してその動作を変える。制御メッセージは、娯楽装置がストーリーラインと一体になり、これによりそれの娯楽的価値が高まるような、与えられたストーリーラインに関連する情報を含む。本発明の一つの観点によれば、娯楽装置はストーリーラインのキャラクタの形に対応する形に適合し、従って更に娯楽装置をストーリーラインの中に強力に一体化する。
〔実施例〕
本発明は、遠隔のユーザーインタフェースによって個人的電子装置の構成及び特性を変える機構を中央部に具えることにより、例えば低価格な教育娯楽玩具のような個人的な電子装置の継続的且つ動的な構成及び使用に応用することができる。更に特別には、本発明は、アドレスできる無線受信装置のそれぞれ及びグルーブを、ユーザーインタフェース機構の代理としての個人的な電子装置に統合する。適当な装置を用いれば、所有者による直接の操作を必要とせずに、優れた情報及びプログラムが個人の電子装置に入る。この装置は、通常は、小さい電子装置のための比較的高価な部品であってユーザーがアクセスできるデータ入力装置又は制御装置を具えることを必要とせずに、継続するか又は再定義された装置動作の表現についての、特定の制御データ又はプログラムコードを集めることができる。低価格の教育娯楽装置は、優れているにも拘わらず低価格の電子制御回路を含むが、ユーザーが直接且つ物理的に操作する比較的高価なユーザーインタフェース機構は含まない。以下に更に完全に説明するように、この装置は種々の新しい属性、機能、及び特性を獲得している。これは装置における興味を維持し、これにより教育及び娯楽の所期の目的を連続的にサポートする。
図１は、一般的に娯楽装置12を具える娯楽システム10を示す。以下の開示は、参照数字の添字により、即ち装置12a、装置12b等によって個々に識別される教育娯楽装置12の例を説明する。図１に図示された例においては、装置12aが玩具の熊の人形である。装置12は、ユーザーの好みによって思い通りに制御され、動作が変えられ、特殊化される種々の個人の電子装置のうちの一つであってもよい。しかしながら、本発明は、ここで説明される特別な人形又は娯楽装置に限定されるものではなく、一連の個人的電子装置を包含するものであることが理解されなければならない。
更に、図１においては、一つの装置12として図示されているが、本発明は、教育娯楽システム10の下で動作し、このような個々にアドレスすることができる装置12の集団を対象としていることが理解されなければならない。更に、この装置12の集団の中において装置12のグループが定義されるので、個々の教育娯楽装置の製造ラインにおいて、システム10の中で動作し個別にアドレスされる装置12の個々のグループを実現することができる。
装置12は電子制御モジュール14を含む。更に詳細に後述するように、制御モジュール14は、例えば図示された玩具の熊の人形12aの場合、子供に話しかけることによって子供と会話するような動作を行う。ここに説明される本発明の他の実施例は、機械的な動きの変更、仮想的な刺激、又はその他の広範囲の一連の教育娯楽装置の機能の特徴を含む。本発明における制御モジュール14は、装置12のためのユーザーインタフェースの一部分を構成する。更に特別には、ユーザー、ユーザーの両親、サービスのプロバイダー、又は製造者が、選択された無線信号により、装置12に対して制御メッセージ16を送り、これによりモジュール14が指定された機能を遂行し、又は新しい属性又は特性に合うように構成を変更する。
ページングシステム18は、各装置12に対して制御メッセージ16を放送し、これにより電子制御モジュール14に対して遠隔アクセスを行う。ここで明らかなように且つ更に詳細に後述するように、電子制御モジュール14は、制御メッセージ16を収集して続いて処理するためのページングシステム無線受信入力段を含む。
ページングシステム18は、無線信号放送手段22に結合されたクリアリングハウス20を含む。本発明は多くのページングシステムプロトコルによって実現されるが、ここでは、以後、米国特許第4,713,808号及び第4,897,835号に記載されているような「ガスキルページングシステム」と呼ぶ時分割多重化プロトコルの下で動作するものとする。米国特許第4,713,808号及び第4,897,835号の公報は、参考文献としてここに全体が添付されている。ガスキルページングシステム及びこれに関連する受信装置により、高価ではなく、高いバッテリー効率を持ち、著しく小型化されたページング装置が得られ、これは、本発明の図示された実施例において、電子制御モジュール14の一部分を構成する。
各電子制御モジュール14は個々にアドレス可能であり、従って、各電子制御モジュール14は、装置12の集団の中の特定の装置12の操作をサポートする。更にページングシステム18は、「グループ」向けの送信をサポートする。これは、グループの構成員即ち一組の同一の装置12について統合された機能をサポートする。例えば、地理的に一つの地域の全ての「天気熊」は１つのグループとしてアドレスされ、共通の情報を受信する。
更に、ページングシステム18は、必要な時は制御メッセージ16のリンクされたリストを所定の装置12又は装置12のグループに提供する。これにより、ここで一般的に制御メッセージ16として参照されているものは、制御メッセージ16が、所定の教育娯楽装置12に送られる一連の個々のページングシステムデータパケットによって構成される一定の長さのものであることが理解されるべきである。ページングシステム18及び複数のデータパケットを相互にリンクする機能を理解すれば、制御メッセージ16のサイズは、装置12によってプログラムされる機能を起動するために必要な、比較的小さいサイズから、サウンドデータ又はアプリケーションプログラムを装置12にロードするために必要な比較的大きいサイズまで変わり得ることが、当業者にとって明らかである。
ページングシステム18は、多くの情報源から、典型的には電話システムを経て情報を集める。情報源は、電話接続線30によってページングシステムクリアリングハウス20に接続された電話機24及び情報収集ステーション28を含む。電話機24は更に電話接続線30によって情報収集ステーション28に接続される。電話機24で生成される或る情報は電話機24からクリアリングハウス20を経て装置12に送信され、一方、他の情報は、ステーション28において、ページングシステム18の正規の動作以外の処理及びフォーマッティングを必要とする。
ここで用いられるように、電話機24に対する参照は、装置12として例えば同一の建物の近隣の電話装置、及びページングシステム18又はステーション28と通信する遠隔電話装置に対して、電話線30を経由して行われるべきである。ここでは電話機24として説明されたが、この説明は、モデム及びパーソナルコンピュータにより、適当なプログラムを用いて、更に複雑なメッセージを送り、電話機24のキーパッド24aを経て簡単にエントリーする方法も表していることが理解されるべきである。従って、電話機24の説明及び参照は、更に、例えば電話線30によって、ページングシステム18又はステーション28との会話型機構を表し、これによって制御メッセージ16の送信を行っていることが理解されるべきである。
装置12の製造者又は個々のサービスプロバイダーによって設けられた情報収集ステーション28は、種々の情報源から情報を集め、ページングシステム18を経て制御メッセージ16を装置12に向けて送信する。
情報収集ステーション28によってページングシステム18に送信される制御メッセージ16は、天気情報34、ニュース情報36、テレビジョンストーリー情報38及び製造元情報40から作られる。情報収集ステーション28は、特定の情報源として適切な種々の情報チャネル42によって情報を集める。例えば、チャネル42は、ステーション28への電子データの送信を表し、音声として、文字として、又は書面として提供される情報のチャネルであってもよい。従って、ステーション28における処理は、自動的であってもよいし、人手でのデータの作成及びエントリーであってもよい。
天気情報34は、現在の局地的な天気の状態並びに予報を含む。ニュース情報36は、局地的及び広範囲両者のニュースサービスの中で見出される現在のイベントを含む。テレビジョンストーリー情報38は、現在又は近日のテレビジョンシリーズのエピソードのストーリーラインに関連する情報を伝える。ここで明らかなように、天気情報34、ニュース情報36、及びテレビジョンストーリー情報38は、制御メッセージ16としてページングシステム18を経て装置12に送信するため、ステーション28によって処理され且つ適切にフォーマッティングされなければならない。しかしながら、製造元情報40は、制御メッセージ16としてページングシステム18によって送信されるためにフォーマッティングされ且つ準備されている。
天気情報34を用いる時は、情報収集ステーション28は制御メッセージ16を作成し、ページングシステム18を経て局地的に送信し、これに基づいて装置12が現在の局地的な天気についてコメントする。例えば、玩具の熊の人形装置12aとして図示された装置12は、現在の天気の情報を知らされるユーザーを繋ぎ止める「天気熊」である。例えば、装置12aによる「天気熊」は、雨の日には「今日は雨が降っていませんか？」とアナウンスし、寒い日には「今日は４０度です、温かくした方がよいでしょう。」とアナウンスする。それぞれの場合、装置12aは、正確な現在の実際の世界の天気情報を提供するのであり、予めプログラムされた音声ではないのである。
ニュース情報36により、情報収集ステーション28が制御メッセージ16を送信して、これに基づいて装置12が現在のニュースイベントをコメントできるようになる。例えば、装置12がユーザーに「今日は大統領の日です。」又は「今日は皆が我々の政府の指導者を選ぶために投票する日です。」と知らせる。ここで明らかなように、現在のニュースがカバーする範囲は、単に「ニュース熊」としての装置12が発音できる種類のメッセージに限られる。
このようにして、装置12は従来の教育娯楽装置の機能を上回ることになる。装置12は、実世界の出来事についての時宜に適した解説で興味を持たせる。ここで明らかなように、このような刺激は、子供にとって装置12から得られたトピックスを更に深く突っ込むきっかけを与える。
テレビジョンのストーリー情報38により、情報収集ステーション28は制御メッセージ16を送信し、これに基づいて装置12が、テレビジョン100及びテレビジョン放送信号102によって作られるような現在のテレビジョンの一連のエピソードの一部分になることを可能にする。例えば、装置12aが与えられたテレビジョンシリーズ中のキャラクタ17に対応する場合、放送されているテレビジョン番組、即ちテレビジョンストーリーライン情報38によりに現在現れているストーリーイベントは、更に装置12aの動作として現れる。
装置12を所定のテレビジョンシリーズのストーリーラインに組み込む場合は種々の形をとる。例えば、装置12は簡単にテレビジョン放送のストーリーラインに存在するトピックスに対応する動作を演ずる。教育の面においては、装置12は、対応する教育的テレビジョンプログラムの中に現在存在する教育的なトピックスに焦点を合わせる。これに代わって、装置12の動作は、更にテレビジョンプログラムのキャラクタの特別な動き又は特性の放送にもっと密接に対応し、更には一致することさえある。このように、装置12は、テレビジョンプログラムの対応するキャラクタによって話される同一のキー語句を、テレビジョンプログラムのキャラクタが発音すると同時か、又は、そのストーリーラインのエピソードの間の対応するテレビジョンのキャラクタの特別な条件又は状態に関連する時刻に発音する。
製造者情報40は、通常は情報収集ステーション28によって得られない付加的な情報を供給する。製造者は、例えば時々或る種の形で装置12の有用性を高めるために装置12に特別な機能を与える制御メッセージ16を出す。例えば、装置12は、製造者の制御の下で修正の所定のスケジュールにより、常に変化する特徴及び機能を具える。これに代わって、購入者が購入の後で追加の装置機能を追加することができる。本発明によれば、ユーザーは、追加の装置機能を可能にするか又は確立するために、新しい装置12を購入する必要はなく、適当な制御メッセージ16の送信を購入すればよい。
電話機24は、所有者又は所有者の両親に対して、装置12の選択された挙動又は動作のための制御メッセージ16を発生するための能力を与える。例えば、両親は電話機24を用いて制御メッセージ16を送信し、装置12に特別な語句を発音させることができる。例えば、両親は子供に、宿題をすること、寝ること、歯を磨くことを思い出させ、可愛らしい玩具のキャラクタによって与えられると容易に受け入れてそれに従うような種々のメッセージを準備する。両親は、威厳のある即ち両親の音源からではなく、装置12を用いて、可愛らしい音源即ち装置12からこのようなメッセージを送る。このような装置12によるメッセージの送出は、更に両親によっても与えられる時は、メッセージの指示に従うことに対する熱心さを助長する。
このように、子供のための教育娯楽玩具としてのこのような装置と一方向通信リンクを確立するため、本発明は、ページングシステム18の下に具えられる低コスト、低電力消費の無線信号受信機を提供する。本発明は、装置12を、現在の実世界の出来事又は現在若しくは将来のテレビジョンエピソードイベントに結び付ける。動的に継続する所有者との関連する会話によるこのパワフルな機能にも拘わらず、装置12は従来の形のユーザー入力装置即ちボタン又はデータポートのアレイを具える必要はない。代わって、本発明は、制御メッセージ16を集めるための低価格の無線信号受信機技術を利用し、これにより、広い範囲の機能、属性及び動作を動的に受け入れる。
図２は、システム10の部分的な観点、即ち放送設備22のみを示す観点中の電子制御モジュール14のブロック図を示す。図２においては、放送手段22は各制御メッセージ16を送信し、モジュール14の無線受信機50がアンテナ52を用いて制御メッセージ16を集める。無線受信機50及びアンテナ52は、所定のページングシステムプロトコルの下で制御メッセージ16を集めるための動作が可能なデータ端末装置を構成する。上述のように、このページングシステムプロトコルは種々のフォーマットのものであるが、ここでは時分割多重化放送プロトコルの下で動作するガスキルページングシステムに基づいて説明される。
従って、無線受信機50は、個々に及びグループのメンバーとして双方でアドレス可能なバッテリー効率の高い装置である。無線受信機50は、信頼性があるページングシステム18のプロトコル及びメッセージ16の収集を実行する際に重要な、信号処理リソース、メモリーリソース、及びその他を含み、これらは、装置12の中で、図示された実施例の受信機50の下で、制御メッセージ16のための通路として動作する。言い換えれば、無線受信機50は、装置12の回路を制御ための内部制御メッセージ16’を送るモジュールとして装置12に組み込まれている。従って、装置１２の設計は、特定のページングシステムのプロトコルに関するものである必要はなく、遠隔の送信源から生成される内部制御メッセージ16’を送る集積化パッケージとして、無線受信機50に応答するようになっておればよい。無線受信機50は、ページングシステム18の下のページング装置としての設計を著しく変更する必要はない。無線受信機50に対する微小な変更により、マイクロプロセッサ54が無線受信機50を操作するようにすることができる。即ち他の状況として受信機50がページング装置のボタン機能として動作することをシミュレートし、また、無線受信機50に格納されたページング情報を引き出すことができる。どのような場合においても、無線受信機50は、内部制御メッセージ16’をマイクロプロセッサ54に送るための通路を提供することによって第１の機能を果たす。
制御メッセージ16は、ページングシステム18による放送の場合、放送プロトコルの実行に際して、エラー修正コード、タイムスロット数、及び使用される特定のページング信号放送プロトコルに関連するその他のデータのような多数のフィールドを含み、更にメッセージ又はデータのフィールドを含む。メッセージ又はデータのフィールドが無線受信機50によって最初に集められ、無線受信機50によってエラー検出及び修正手順を受け、内部制御メッセージ16’として現れることが示唆される。更に、制御メッセージ16’の内容又はフォーマッティングは、装置12による特定の動作を指示する。例えば、制御メッセージ16は装置12によって後で用いられるデータを表すこともあり、装置12に所定の機能を実行させるコマンド又はアプリケーションプログラムを表すこともある。装置12に送られるデータ及び装置12が応答するコマンドの性質は、用いられるアプリケーションに依存する。従って、内部制御メッセージ16’はマイクロプロセッサ54のプログラムと呼応して動作し、装置12の動作、特性、又は機能の動的な変更を実行する。このように、マイクロプロセッサ54のプログラムは、種々の形の制御メッセージ16’を受入れ、それらの機能として対応する機能又は特性を引き出す。
機械的制御56は、与えられた装置12に統合されている幾つかの機械的機能を実現する。装置12として図示された「天気熊」を続けて例にすると、制御モジュール14は機械的制御ブロック56を含み、話されるメッセージの表現に合致して見えるように適当な時に熊人形の口を動かす。
無線受信機50は更にマイクロプロセッサ54に高精度の時刻信号51を供給する。ガスキルページングシステムの下で実行される場合、無線受信機50は必然的に、ガスキルページングシステムの時分割多重化プロトコルをサポートする高精度の時刻保持回路を含む。マイクロプロセッサ54は、無線受信機50から時刻信号51を受信することにより、この時分割多重化プロトコルから利益を受ける。マイクロプロセッサ54は、時刻信号51を用いて高精度の時刻標準に関して選択された機能に関与する。例えば、マイクロプロセッサ54は、一日の選択された時刻に、即ちテレビジョンのシリーズエピソードの放送又は歯磨き時刻等の家庭内のイベントのような、スケジュールが決められたイベントに同期して、選択された装置12の機能を起動する。
読取り／書込みメモリーリソースは、装置12によって発音に利用することができる一組のアナウンスを含むデータテーブル60を具える。マイクロプロセッサ54は、適当な制御メッセージ16’に応答して、データテーブル60にアナウンス62及びそれに対応するインデックス64をロードする。各アナウンス62は、テーブル60中のメモリー空間を一定に保つためにテキストメッセージとして格納することができ、また、テーブル60中で使用できるメモリー空間が充分ある場合は音声データとして格納することもできる。従って、装置12に対して送られる制御メッセージ16は、テキストデータ又は音声データを乗せることができる。ここで明らかなように、音声データは、電話機24を用いてメッセージの発信者によって発生されステーション28によって音声データに変換されるものか、又は、特定のキャラクタの声を表す音声データであり製造者情報40として具えられているものである。テキストデータも、やはり制御メッセージ16を用いて送られ、装置12がこのテキストデータを変換して所定の音声特徴に従った音声を発生させる。即ち、所定のキャラクタの声に従ってテキストに基づくメッセージを一貫して再生する。どのような場合でも、データテーブル60は、装置12の所有者との対話で使用することができる種々のアナウンスを保存している。マイクロプロセッサ54は、次に、インデックスのアドレスにより、装置12による発音のためにテーブル60からアナウンス62を集める。
メッセージ送出ブロック65は、マイクロプロセッサ54から音声データ67を受取り、ディジタル−アナログブロック68による変換と増幅器70及びスピーカー72への印加のために供給する。マイクロプロセッサ54によってブロック65に送られるテキスト表示を含むアナウンス62は、メッセージテキスト74としてテキスト−音声変換器76に送られる。テキスト−音声変換器76は、次に増幅器70を駆動し、所望のメッセージを装置12のスピーカー72で発音させる。
内部制御メッセージ16’は、更にマイクロプロセッサ54に、装置12で実行されるアプリケーションプログラム63を送る。アプリケーションプログラムは、教育娯楽システム10の所定の利用に特化されている。例えば、図６の装置12eの区画180を開くこと、又は図５の装置12dのようなビデオゲームを楽しむレベルにアクセスできるようにすること等である。従って、制御メッセージ16によって供給されるアプリケーションプログラムは、マイクロプロセッサ54の母国語、例えば実行可能な２値コードによるプログラムであってもよいし、又は高級言語、例えばマイクロプロセッサ54上で走る制御プログラムによって実行されるスクリプト言語であってもよい。いずれの場合にも、アプリケーションプログラムは、装置12に関してプログラミングされそれに選択された機能を付与するものを表す。
ページングシステム18は装置12に対して一方向通信リンクを具えているので、図示の実施例においては、テーブル60に与えられるインデックス値の管理は装置12の外部で行われる。即ち、インデックス値は、テーブル60に情報を置くソース又はエンティティによって設計され続いて利用される。ここで明らかなように、例えば、所有者又は所有者の両親の組とは別の組のインデックス値に製造者がアクセスしたような場合にも、インデックス値の選択計画が適合するようにすることができる。このようにして、テーブル60に与えられるインデックス値の間の衝突が避けられる。テーブル60に情報を置く各エンティティは、その情報がテーブル60にロードされる時に供給されるインデックス値の知識を持っており、従ってその情報を置き換えるため又は必要な時、即ち装置12の機能がその情報を参照する機能を起動する時に、テーブル60からその情報を引き出すための根拠を持っている。
図３は、現在のテレビジョンプログラムの学習に組み込まれ、教育的に用いられる装置12bと表示された本発明の次の例を示す。図３においては、テレビジョン100は、テレビジョン信号放送102により、文字“Ｔ”及び文字Ｔで始まる幾つかの単語の例“ｔａｌｋ”、“ｔｉｍｅ”及び“ｔｉｃｋｌｅ”に関する学習を含むテレビジョンプログラムを受信する。更に図３においては、放送設備22が一又は複数の制御メッセージ16を装置12bに供給する。装置12bは、メッセージ16に応答して語句「単語トークを書けますか？」を発音する。ここで明らかなように、装置12bにより、所定の語句の発音が、テレビジョン100上への特定の表示と同時に、又は特定のテレビジョンプログラムの間を含む時間又はそれに近い時間に行われる。例えば、装置12bが、やがて始まる教育的テレビジョンエピソードで論じられるトピックスについての紹介を始める。装置12bは更に、教育的テレビジョンエピソードの間及び教育的エピソードの後で、そのテレビジョンプログラムによって提供された教授内容を表現するために議論する。
装置12が関連する情報を得る場合、テレビジョン100又は放送信号102に映し出される必要はなく、又は直接これと対話する必要もない。装置12は、テレビジョンプログラムの間表示される必要はないが、現在の特定のテレビジョンプログラムに関連する制御メッセージ16を受信すること、及び、関連するコメントを発音することにより、一体化されたテレビジョンプログラムトピックスの一部分になる。結局、教材に結合され、関連し、時宜を得た第２のソースを持つことによって、子供がより良く教育され、即ち、教育的テレビジョンプログラムのみとの関係が拡大されることになる。
図４は、テレビジョンディスプレイに対応する装置12cの機能の定時起動を含む装置12cとして設計された本発明の例を示す。図４においては、装置12cが送信設備22から一又は複数の制御メッセージ16を受信する。この場合装置12cが、システム10によって、制御メッセージ16に応答して語句「助けて！」を発音するようにプログラムされる。図４には、更に、テレビジョンのエピソードのストーリーラインにおける二つの異なる時点でのテレビジョン100が示されている。即ち、テレビジョンディスプレイ100aはストーリーラインの一つの時点を、テレビジョンディスプレイ100bはその後の時点を示す。テレビジョンディスプレイ100aは、崖の岩棚の上に閉じ込められている装置12cに対応するキャラクタを示す。テレビジョンディスプレイ100aにおいては、装置12cに対応するキャラクタが制御メッセージ16に応答して「助けて！」と叫ぶ。装置12cによる適切なタイミングでのこの語句の発音により、装置12cの所有者はテレビジョンのプログラムの表現を楽しむ。しかし、装置12cは、テレビジョンのキャラクタによる発音と同期してこの語句を発音するだけでなく、ストーリーラインに関連する時にこの語句を選択的に発音する必要がある。テレビジョンディスプレイ100bに示されるように、対応するキャラクタが表示されていない時にも装置12は語句「助けて！」を発音する。このように、テレビジョンのエピソードのストーリーラインに依れば、テレビジョンディスプレイ100bの間も、キャラクタはまだ岩棚の上に閉じ込められている。従って、装置12は、ストーリーラインに関連してコメント即ち「助けて！」を表現する。
図５は、ビデオゲーム装置12dの動作とテレビジョン100上に表示されたテレビジョンプログラムとが結合される装置12dとして設計された、本発明の例を示す。図５においては、テレビジョン100は、放送信号102によって、ビデオゲーム12dのキャラクタ120に対応するキャラクタ120を含むテレビジョンプログラムを受信する。
ビデオゲーム12dはページングシステム18によって制御メッセージ16を受信する。従来のビデオゲームの動作と同様に、ビデオゲーム12dが、ディスプレイ端末装置123を駆動し、ユーザーのゲームコントローラ125の操作に反応する。更にＲＯＭカートリッジ122に収められたビデオゲームプログラムが、所定の娯楽表示即ちビデオゲームを実行する。しかしながら、本発明によれば、ＲＯＭカートリッジ122に収められたビデオゲームプログラムは、適当な制御メッセージ16によって提供される認可の下でのみ或るプログラムの特徴にアクセスすることを許可する。このように、テレビジョンのエピソードのストーリーラインにおけるキャラクタ120が最終的にレベルＸに到達すると、ページングシステム18が適当な制御メッセージ16を送信し、ビデオゲーム12dがビデオゲーム装置12d中の新しいレベル即ちレベルＸへのアクセスを許可するようにする。このようにして、テレビジョンプログラムのストーリーラインがビデオゲーム装置12dの新しい機能に対応する。
更に、テレビジョン100上でビデオゲーム12dのユーザーに提供されるテレビジョンプログラムのストーリーラインは、ビデオゲーム12dとの対話に対する追加の手掛かりを提供する。即ち「レベルＸ」を超えての前進又は「レベルＸ」中のゲームのプレイにおける機能に適する手掛かりを与えることができる。例えば或るパスワード又は知識が「レベルＸ」に到達するか又はマスターすることに成功することを要求するかも知れない。このパスワード又は情報は、製造に続いて且つＲＯＭ122上のプログラムの公表に続いて、ビデオゲーム12d中にロードすることができる。特別には、適当に構成されたビデオゲーム12d及びＲＯＭ122により、制御メッセージ16を用いてそれに代わる構成が存在するゲームプログラムを受信するように変更され、現在のテレビジョンのストーリーラインのイベントを反映するか、又は単に動的な動作を提供する。この方法においては、ゲームプレイは、製造時に固定される必要はなく、動的に進行中のイベント、即ち実世界のイベント又はテレビジョンプログラムのイベントに追随することができる。
図６は玩具のロボットとして構成された装置12eを示す。装置12eは更に入り口又はカバー182を有する区画180を含む。カバー182はバネで負荷され、掛け金で閉じられている。図６の実施例においては、機機械的制御56（図２）が閉塞カバー182を有する掛け金機構（図示されていない）を制御する。従って、装置12eに向けた適当な制御メッセージ16の送信によって、機械的制御56が掛け金閉塞カバー182を解放する。この方法により、区画180は適当な制御メッセージ16の送信によって選択的に開く。従って、区画180は、必要な制御メッセージ16の送信の方法についての適切な知識を持っている両親、製造者、又は所有者の確認によってアクセスできるようになる。例えば、区画180は、子供に対する報酬を保持する。この報酬には、両親が電話機24を用いてカバー182の掛け金を外すための適切な制御メッセージ16を送信するまでは、アクセスすることができない。同様に、装置12eの製造者は、所定のイベントの後、即ちテレビジョンシリーズのエピソード中の対応するキャラクタがその対応する区画にアクセスした後のみ、区画180に対するアクセスを可能にする。いずれの場合においても、装置12eの機能は、適切な制御メッセージ16に応答して表現される。
図７は、装置12fが前述のような制御モジュール14を含み、更に水タンク200を含む装置12fとして設計された本発明の他の例を示す。動作中は、ユーザーが容器202を用い、装置12fの実施例である人形の口204を通してタンク200を満たす。タンク200は排出管206を含む。動作中は、図７の装置12fは、「喉が渇いた、瓶を頂戴」とのアナウンス62が最初にロードされ、更に叫び声に対応するアナウンス62がロードされる。一旦アナウンス62が装置12fのデータテーブル60中にロードされると、即ち適切な制御メッセージ16によってロードされた後は、他の制御メッセージ16が、装置12fに語句「喉が渇いた、瓶を頂戴」を発音させる。次に装置12fは所有者から容器202の液体を受取りタンク200に溜める。続いて装置12fが排出管206を通して液体を排出する時に、同時に叫び声を発するようにプログラムされる。ここで明らかなように、このシナリオは、子供に食物を与えること及び続いてオムツを交換する必要があることに対応する。このように、このような模擬的な動作の機能なしに販売された装置12fが、例えば製造者から装置12fによるこのような模擬的な動作を可能にする適切な制御メッセージ16が提供されることによって、このような動作を行うことができる。同様に、装置12fの所有者又は所有者の両親が、電話機24を用いてこのような模擬的な動作を行わせることができる。
図８は、装置12gがお話人形及び上述の制御モジュール14を含む本発明の他の例を示す。ここで明らかなように、製造時には多くの個々の装置12gが多くの別の人に販売される。しかしながら一旦販売され特定の子供の手中に置かれると、装置12gは名前によってその一人の子供のために特製化される。このように、名前によってその子供に特定されたアナウンス62を含む、装置12gに送信される適切な制御メッセージ16が、特製化された装置12gの機能を確立する。例えば、装置12gの所有者の名前が「サリー」の場合、この装置12gに特定されたアドレスを持つ適切な制御メッセージ16が、データテーブル60にこの名前「サリー」をロードし、装置12gがこの子供に対するコメントにこの語句を加える。例えば、図８において装置12gが「ハロー、サリー」と発音し、これによってその所有者に特定された特製化機能を確立する。
この高度に個性化された機能にも拘わらず、装置12gはラジオ受信機50以外のユーザーインタフェースを必要としない。ここで明らかなように、特製化された情報を、本発明の下で、種々の機構によって装置12にロードすることができる。例えば、装置12の所有者の両親は電話機24を用いてデータを入力する。これとは別に、所有者が装置12の購入時に登録情報を加え、それを製造者に返送する。次に製造者が、情報収集ステーション28に送信するための適切な製造者情報40を開発する。ステーション28は次に制御メッセージ16を適当な装置12に送出し、これにより、ユーザーが装置を物理的に操作することなしに個性化された顧客情報がロードされる。
本発明の上述の実施例は、本発明によって提供される多用途性及び利点を例によって示すものである。一般的に、本発明は、低価格でしかも遠隔送信無線信号を用いて電子装置の複雑な処理能力に対するアクセスを提供する。無線信号送信機能は、通常のページングシステム及び対応する送信プロトコルのような既存の送信機能を含むことができる。ここで明らかなように、高バッテリー性能及び高度の小型化したページングシステム信号受信装置、即ち例えばガスキルページングシステムが望ましい。ページングシステム送信機能に対する所定のアクセスについて、多くの地理的範囲で及び教育娯楽分野の多くの異なる用途で本発明を応用することができる。
以下のフローチャートは、本発明の教育娯楽システム10の下で動作する装置12の群を操作するために提案された一般的な制御系統を示す。以下のフローチャートにおいては、提案された制御系統が種々の用途に応用できるとの了解の下に、例えば天気人形又はビデオゲームのような本発明の特定の用途についての特定の参照番号は省略されている。特定の用途についての特定の装置の動作は、一般的に以下のフローチャートに表された制御系統に含まれるが、ここで当業者にとって明らかなように、教育娯楽システム10の特定の最終用途に適応するために変更される。
図９は、本発明の下で、特定の装置12又は装置12の特定のグループに対する情報の送出を完結するために提案された簡略化コマンドセットを示す。ここで明らかなように、図９に示されたコマンドは、内部制御メッセージ16’としてコード化された形で表現され、マイクロプロセッサ54のプログラムは特定の用途の下で実現される手順に対応する。
図９においては、コマンド250は情報収集ステーション28又は電話機24から発生され、ページングシステム18を通って目的の教育娯楽装置12に到達する。図９で詳細に示されている特定のコマンド250は、情報の予備段階でのロード及びこのデータに関するコマンドのその後の起動又は実行開始を可能にする、基本的な制御系統を実現する。このように、使用される特定のページングシステム18の送信タイミング特性即ちページングシステムプロトコルによる遅延に依存せずに、例えば音声データ、長いテキストメッセージ、又はアプリケーションプログラムのような大量のデータ又はプログラムコードを参照するコマンドが、例えば特定の時刻に所定のテレビジョンストーリーラインのイベントに同期して、タイムリーに実行される。更に、上述したように、各内部制御メッセージ16’は、使用される特定のページングシステム18の下で送信される一又は複数のページングシステムデータパケットを含むことができる。関係するデータパケットの全体のリンクは、ページングシステム18の下で提供されるこの機能を用いるか又は装置12により、入来する関係した内部メッセージ16’を認識し、使用に先立ってこのデータパケットの完全なシーケンスを形成することによって達成される。
Load textコマンド252は、コマンド識別フィールド252a、テキストデータフィールド252b、及びインデックスフィールド252cを含む。マイクロプロセッサ54は、コマンド識別フィールド252aに応答してテキストデータフィールド252bのコピーを、インデックスフィールド252cによって与えられるインデックス値に対応してデータテーブル60に書込む。同様に、Load soundコマンド254はコマンド識別フィールド254aを含み、これにより、マイクロプロセッサ54が、音声データフィールド254bを集めて、インデックスフィールド254cのインデックスに対応してデータテーブル60に書込む。このように、コマンド252及び254により、教育娯楽システム10が潜在的に大量のデータを送出し、装置12の機能がこのデータを参照することができるようになる。
Announceコマンド256はコマンド識別フィールド256aを含み、これにより、マイクロプロセッサ54がインデックスフィールド256bに対応するデータテーブル60にアナウンス62を送出する。更に、時刻フィールド256cは、マイクロプロセッサ54にアナウンスが行われるべき時刻を指示する。時刻フィールド256cは、対応するアナウンス64を直ちに送出するように指示するか又はアナウンス62が装置12によって送出されるべき時刻を指示する。装置12は高精度の標準時計51を持っているので、所定の装置12の機能、例えばメッセージのアナウンスが正確な時刻に合わせて行われる。
Load programコマンド258はコマンド識別フィールド258aを含み、これにより、マイクロプロセッサ54は、プログラムコードフィールド258bを集め、インデックスフィールド258cに従ってデータテーブル60に格納する。このように、教育娯楽システム10は、予めアプリケーションプログラムを各装置12にロードする。Execute programコマンド260はコマンド識別フィールド260aを含み、これにより、マイクロプロセッサ54は、データテーブル60中にインデックスフィールド260bに表示されたインデックス値で格納されているアプリケーションプログラムを特定する。Execute programコマンド260は更に時刻フィールド260cを含み、これは対象となるアプリケーションプログラムに対する実行の時刻を表示する。時刻フィールド260cは、対象となるアプリケーションプログラムの即時の実行を指示するか又は標準時刻51に対比して正確な実行時刻を指示する。
図１０は情報収集ステーション28によって実行される処理を示す。図１０においては、制御ループ280が、ブロック282、284、286及び288を通って電話機24から又はチャネル42を通して情報を集めながら巡回している。ブロック282は所定の情報本体の収集を表す。例えば、ブロック282における処理は、これから先のテレビジョンシリーズのストーリーラインに関連する情報の収集又はニュースイベント情報の収集を含む。いずれにしても、ステーション28は、ブロック282において、情報を収集し且つ組織化する初期の目的を達成する。
ブロック284においては、ステーション28が、収集した情報について単独又は複数の宛て先を決定する。例えば、天気情報は「天気熊」のグループに送られ、所定のテレビジョンシリーズのエピソード中の所定のキャラクタに関連する情報は、その所定のキャラクタに対応する装置12のグループに送られる。ブロック284においては、特定の装置12に特定される情報、例えば一つの装置12に対するデータ又は受注生産プログラムがそこに特定して送られる。
続いてブロック286においては、ステーション28が、ページングシステム18の送信プロトコルにより収集された情報をフォーマッティングして送り出す。一般的に、ステーション28は、ページングシステム18に対して、データ又はメッセージフィールドとして所定の内部制御メッセージ16’を持つページメッセージを送信する。マイクロプロセッサ54上で実行されるプログラムは、内部制御メッセージ16’のコンテンツ及びフォーマットを認識してそれに従って動作する。ブロック288においては、情報収集ステーション28が、フォーマットされた情報を、制御メッセージ16として放送するためにページングシステムに送信する。上述のように、このページングシステム18の放送のメッセージ又はデータ部分は、マイクロプロセッサ54に印加されその動作を駆動する内部制御メッセージ16’を表す。
図１１は無線受信機50の動作を説明するフローチャートである。ここで明らかなように、無線信号によるマイクロプロセッサ54への内部制御メッセージ16’の送出は多数の装置によって行われる。しかしながら、説明された本発明の好ましい実施例においては、ページングシステム18がマイクロプロセッサ54に情報を運ぶ。従って、図１１におけるプログラムは、ガスキルページングシステム18の下における無線受信機50の動作を示す。ブロック300においては、無線受信機50が時分割多重化ページングシステムに基づいて放送プロトコルを起動し、メッセージデータパケット即ちタイムスロットが無線受信機50に対応している間に供給される一束のデータを受信する。
決定ブロック302においては、無線受信機50が、グループのアドレスであっても又は個々のアドレスであっても、メッセージデータパケットのアドレス部分が無線受信機50のアドレスに合致しているか否かを決定する。これが合致していない場合は、続いて処理は他のプログラムに分岐する。しかしながら、アドレスが合致すると、続いて処理はブロツク304に進み、メッセージ又はメッセージパケットのデータ部分が初期のメッセージ16’として集められ、ブロック306では、内部メッセージ16’がマイクロプロセッサ54に送られる。上述のように、ガスキルページングシステムはリンクされたデータパケットをサポートし、それにより図１１に示されたプログラムがリンクされたデータパケットの収集を含み、関係するパケットを集めてマイクロプロセッサ54に送るための一つの内部制御メッセージ16’にする。これに代わる場合、個々のページングシステムのデータパケットが受信されたままでマイクロプロセッサ54に送られ、マイクロプロセッサ54が関係ある即ちリンクされた成分を認識し、リンクされた成分を一つの制御メッセージ16’として組み立てる。
図１２はコマンド250に応答するマイクロプロセッサ54のプログラムを示す。ここで明らかなように、図１２で説明される特定のプログラムは、示されたコマンド250の性質を反映し、異なるコマンド又は追加のコマンド250に適合するために必要な場合は変化する。図１２においては、マイクロプロセッサ54が無線受信機50から内部制御メッセージ16’を得た時に、ブロック320で処理が開始される。決定ブロック322においては、マイクロプロセッサ54が完全な制御メッセージ16’を受信したか否かを決定する。例えば、制御メッセージ16’で大量のデータ例えば音声データを送信する場合、制御メッセージ16’全体を多数のページングシステムデータパケットが運ぶ。決定ブロック322は、マイクロプロセッサ54中で、それらの関連するページングシステムデータパケットのシーケンスを認識し、無線受信機50によって完全な内部制御メッセージ16’が受信され且つマイクロプロセッサ54に送られるまで、そのシーケンスを集めるプログラムを表す。
完全な内部制御メッセージ16’が受信されると、処理は決定ブロック324に進み、マイクロプロセッサ54がデータテーブル60に情報を書込む必要があるか否かを決定する。例えば、load textコマンド252、load soundコマンド254及びload programコマンド258は、決定ブロック324でブロック326に分岐を行い、マイクロプロセッサ54が、データテーブル60中の対応するフィールド252b、254b又は258bの一つに書込み、後刻、それぞれ対応するインデックスフィールド252c、254c又は258cの一つに従ってアクセスできるようにする。
ブロック324でテーブル60へのロード操作がないことが示された場合は、処理はブロツク328に進み、マイクロプロセッサ54が、アナウンス62を直ちに発音する必要があるか否か、又はデータテーブル60に既に格納されているアプリケーションプログラム63を直ちに実行する必要があるか否かを決定する。例えば、決定ブロック328は、コマンド256及び260の時刻フィールド256c及び時刻フィールド260cにそれぞれ質問する。アナウンスが存在するか又はアプリケーションプログラムが直ちに実行されるべき場合には、処理はブロック330に分岐し、マイクロプロセッサ54が、指示されたインデックス、例えばコマンド256及び260それぞれのインデックスフィールド256b及び260bで指示されたインデックスでデータテーブル60にアクセスする。ブロック330において、対応するアナウンスが行われ、又はアプリケーションプログラムが実行される。
アナウンス又はプログラムが直ちに実行される必要がない場合は、処理は決定ブロック328から決定ブロック332に進み、マイクロプロセッサ54は、アナウンス又はアプリケーションプログラムの実行をスケジュールする必要があるか否かを決定する。例えば、既にロードしたアナウンス62又はプログラム63を、アナウンスコマンド256及び実行コマンド260によって、それぞれ起動することができる。決定ブロック332においては、時刻フィールド256c及び260cが質問され、それぞれインデックスフィールド256b及び260bに対応するアナウンス又はコマンドの実行の時刻が識別される。従って、アナウンス又はコマンドがスケジュールされる必要がある場合は、処理はブロック334に分岐し、受信されたばかりの内部メッセージ16’、例えばコマンド256又は260の一つがイベントスケジュール中に格納され、図１３に関して後述するように、後刻参照することができる。
図１３は装置１２によって定時起動を実行するマイクロプロセッサ54のプログラムを示す。図１３においては、マイクロプロセッサ54が、コマンド識別フィールド、データテーブル60のインデックスフィールド、及び時刻フィールドをそれぞれ表すエントリーと共にイベントスケジュールを保持すると仮定する。例えば、イベントスケジュールは、図１２のブロック332及び334に関して上述したようにコマンド256及び260を格納する。図１３のプログラムは、イベントスケジュールの間欠的な質問、及び、適当な時に対応する機能の実行を表す。図１３においては、処理はブロック360で開始され、マイクロプロセッサ54が時刻標準51を読取る。続いてブロック362では、マイクロプロセッサ54がブロック360で得られた現在時刻標準51をイベントスケジュール中に格納されている事項に対して比較する。アナウンス実行の時刻になると決定ブロック364の処理がブロック３６６に分岐し、装置12が、イベントスケジュールによって供給されるインデックス値に対応するアナウンス62を行う。アプリケーションプログラムの実行の時刻になると、処理は決定ブロック368でブロック370に分岐し、イベントスケジュールによってこの時に供給されたインデックスでデータテーブル60に既に格納されているアプリケーションプログラムが実行される。
以上の通り、娯楽、教育、及び通信のための改善された方法及び装置が示され且つ説明された。本発明は、特に、子供の玩具のような娯楽教育装置が、望ましくはページング装置に用いられているものと同様の小型無線受信データ端末装置の形の低価格でしかも洗練されたユーザー入力装置を含むように一体化するために最適である。ページングシステムは、種々のシナリオに従って装置に情報をダウンロードするために用いられる。本発明による装置は、実世界の情報又はテレビジョンシリーズのストーリーラインに従って、関連する、現在の、選択できる対話、発声、機能、及び構成を具えている。結局のところ、この装置は、人に対して、娯楽装置を用いることにより通信の新しいチャネルを開き、他の情報源の娯楽又は教育的側面を増す。しかしながら、本発明による装置は、いかなる複雑な又は高価なユーザーインタフェース機構にも依存せず、また、放送されるテレビジョン信号又はその機能又は特徴を増大させるためのテレビジョン映像への露光を必要としない。逆に、本発明による娯楽装置は、このような構成情報を個別の無線信号によって独立に受信し、そのような情報をいつでも種々のページングシステムプロトコルによりロードするという利点を有する。
【図面の簡単な説明】
本発明のよりよい理解のために、及び例示によって本発明がどのようにして実行に移されるかを示すために、以下の図面を参照する。
図１は、本発明の好ましい実施例による娯楽教育システムを示す図である。
図２は、図１の娯楽教育システムで動作する娯楽教育装置のブロック図である。
図３は、教育テレビジョンプログラムにおいて現在のイベントに伴う教育関係調整装置の動作に応用された本発明の実施例を説明する図である。
図４は、与えられたテレビジョンプログラムのキャラクタを実現する娯楽装置の動作が与えられたテレビジョンプログラムのキャラクタの動作に対応する、娯楽装置としての本発明の他の実施例を説明する図である。
図５は、娯楽装置の機能を対応するテレビジョンプログラムのキャラクタの機能と同等にする本発明の実施例を説明する図である。
図６は、新しい娯楽装置機能を具える本発明の実施例を説明する図である。
図７は、娯楽装置の機能の選択が可能な本発明の実施例を説明する図である。
図８は、娯楽教育装置の購入後にユーザーが装置を直接物理的に操作することなしに行われるユーザー特有のプログラミングを説明する図である。
図９は、本発明の教育娯楽システムに一般的に利用できるコマンドセットを説明する図である。
図１０は、本発明の教育娯楽システムの情報収集部分に関連するプログラムを説明する図である。
図１１は、本発明の教育娯楽装置の無線受信装置における無線信号による制御情報の収集を説明する図である。
図１２は、本発明によって動作する教育娯楽装置のプログラムを説明する図である。
図１３は、定時動作態様による本発明の教育娯楽装置のプログラムを説明する図である。
【図１】
0003783045.tif 000002
【図２】
0003783045.tif 000003
【図３】
0003783045.tif 000004
【図５】
0003783045.tif 000005
【図４】
0003783045.tif 000006
【図６】
0003783045.tif 000007
【図７】
0003783045.tif 000008
【図８】
0003783045.tif 000009
【図９】
0003783045.tif 000010
【図１０】
0003783045.tif 000011
【図１１】
0003783045.tif 000012
【図１２】
0003783045.tif 000013
【図１３】
0003783045.tif 000014